(57)【要約】【課題】吸収性物品の裏面シートに耐水処理剤を含有し、該裏面シートにおける少なくとも一部に所定の耐水性を有する吸収性物品、補助吸収性物品、および吸収性物品用シートを提供すること。【解決手段】本発明の吸収性物品は、身体側に面する液体透過性の表面シートと、前記表面シートの厚さ方向における一方側に配設される裏面シートと、が液体を吸収する吸収体を内包させた形態で接合されてなる吸収性物品であって、前記裏面シートは、耐水処理剤を含有し、該裏面シートにおける少なくとも一部に所定の耐水性を有する。【選択図】図１
2008073355.tif 000002
【特許請求の範囲】
【請求項１】
身体側に面する液体透過性の表面シートと、
前記表面シートの厚さ方向における一方側に配設される裏面シートと、が液体を吸収する吸収体を内包させた形態で接合されてなる吸収性物品であって、
前記裏面シートは、耐水処理剤を含有し、前記裏面シートにおける少なくとも一部に所定の耐水性を有する吸収性物品。
【請求項２】
前記裏面シートのＪＩＳ  Ｌ  １０９２「繊維製品の防水性試験方法」により測定した耐水度が、１ｍｍ以上１５０ｍｍ未満である請求項１に記載の吸収性物品。
【請求項３】
前記耐水処理剤がサイズ剤である請求項１または２に記載の吸収性物品。
【請求項４】
前記耐水処理剤の含有量は、シート中に含まれる繊維に対して、０．１質量％以上１０質量％以下である請求項１から３のいずれかに記載の吸収性物品。
【請求項５】
前記裏面シートは、前記吸収体が吸収できる液体の最大量の７０％を吸収した時における荷重がかかるまで前記耐水性を有する請求項１から４のいずれかに記載の吸収性物品。
【請求項６】
他の吸収性物品と併用され、身体側に面する液体透過性の表面シートと、
前記表面シートの厚さ方向における一方側に配設される裏面シートと、が液体を吸収する吸収体を内包させた形態で接合されてなる補助吸収性物品であって、
前記裏面シートは、耐水処理剤を含有し、前記裏面シートにおける少なくとも一部に所定の耐水性を有する補助吸収性物品。
【請求項７】
耐水処理剤を含有し、少なくとも一部に所定の耐水性を有する吸収性物品用シート。
【請求項８】
ＪＩＳ  Ｌ  １０９２「繊維製品の防水性試験方法」により測定した耐水度が、１ｍｍ以上１５０ｍｍ未満である請求項７に記載の吸収性物品用シート。
【請求項９】
前記耐水処理剤がサイズ剤である請求項７または８に記載の吸収性物品用シート。
【請求項１０】
前記耐水処理剤の含有量は、シート中に含まれる繊維に対して、０．１質量％以上１０質量％以下である請求項７から９のいずれかに記載の吸収性物品用シート。
【発明の詳細な説明】
【技術分野】
【０００１】
本発明は、裏面シートに所定の耐水性を有する吸収性物品に関する。
【背景技術】
【０００２】
従来より、例えば、女性用生理用品として、生理用ナプキン、タンポンが一般的に用いられている。ここで、生理用ナプキンについては、膣口付近への密着性の乏しさゆえに生じる隙間からの経血のもれを防ぐべく、多大な努力が払われている。また、タンポンについても、その物品の属性に起因して、着用ときの異物感や不快感、膣内への装着困難性を生じることから、これらを除去するために種々の工夫が行われている。
【０００３】
このような状況下、生理用ナプキンやタンポンの中間に位置する生理用品として、近年、陰唇間パッドと称される生理用品が注目されるようになってきている。この陰唇間パッドは、女性の陰唇間にその一部分を挟み込み、陰唇内面に当接させて装着する。したがって、陰唇間パッドは、生理用ナプキンに比して身体との密着性が高いために経血のもれが防止されるとともに、経血が拡散して身体に広く接することを防ぐために衛生的かつ清潔である。また、生理用ナプキンよりも小型であるために、装着感に優れて快適であり、膣内に挿入するタンポンに比べて着用ときの心理抵抗も低いという特徴を有している。
【０００４】
このような特徴を有する陰唇間パッドとして、例えば、下記の特許文献１には、液体透過性のトップシート、湿潤強力樹脂が含まれる繊維アセンブリの表面を耐水性樹脂でコート処理することにより液不透過性としたバックシート、トップシートとバックシートとの間に配置される吸収性コアを含む陰唇間吸収構造が開示されている。
【０００５】
また、下記の特許文献２には、表面側シートと裏面側シートとその間に吸収体が介在する陰唇間パッドが開示されている。この陰唇間パッドの裏面シートに使用する材料として、織物、不織布、プラスチックなどのシート状構造物が開示されており、不織布などの液透過性の材料を用いることも可能である。
【特許文献１】国際公開第ＷＯ９８／０８４７５号パンフレット
【特許文献２】国際公開第ＷＯ０２／０９４１４５号パンフレット
【発明の開示】
【発明が解決しようとする課題】
【０００６】
しかしながら、特許文献１に記載されている陰唇間吸収構造では、着用者が陰唇間吸収物品とナプキンを併用しているとき、陰唇間吸収物品はナプキンの中心部の上側に位置するので、陰唇間吸収物品の裏面シートが、ナプキンの吸収体の中心部を液不透過性のシートで覆った状態になる。したがって、流れてきた経血はナプキン中心部に吸収されず、ナプキンの左右からショーツへともれてしまうという課題があった。
【０００７】
また、特許文献２に記載されている陰唇間パッドでは、着用者が陰唇間パッドとナプキンとを併用しているとき、陰唇間パッドの裏面シートに不織布を用いると液透過性になるため、経血は陰唇間パッドの吸収体内部で吸収される前に、液透過性の裏面シートを通過してナプキンへ流れてしまい、陰唇間パッドが効果的に経血の吸収が行えていないという課題があった。
【０００８】
本発明は、吸収性物品の裏面シートに耐水処理剤を含有し、該裏面シートにおける少なくとも一部に所定の耐水性を有する吸収性物品、補助吸収性物品、および吸収性物品用シートを提供することを目的とする。
【課題を解決するための手段】
【０００９】
より具体的には、本発明は、以下の構成からなる吸収性物品、補助吸収性物品および吸収性物品用シートを提供する。
【００１０】
（１）  身体側に面する液体透過性の表面シートと、前記表面シートの厚さ方向における一方側に配設される裏面シートと、が液体を吸収する吸収体を内包させた形態で接合されてなる吸収性物品であって、前記裏面シートは、耐水処理剤を含有し、該裏面シートにおける少なくとも一部に所定の耐水性を有する吸収性物品。
【００１１】
（２）  前記裏面シートのＪＩＳ  Ｌ  １０９２「繊維製品の防水性試験方法」により測定した耐水度が、１ｍｍ以上１５０ｍｍ未満である（１）に記載の吸収性物品。
【００１２】
（３）  前記耐水処理剤がサイズ剤である（１）または（２）に記載の吸収性物品。
【００１３】
（４）  前記耐水処理剤の含有量は、シート中に含まれる繊維に対して、０．１質量％以上１０質量％以下である（１）から（３）のいずれかに記載の吸収性物品。
【００１４】
（５）  前記裏面シートは、前記吸収体が吸収できる液体の最大量の７０％を吸収したときにおける荷重がかかるまで前記耐水性を有する（１）から（４）のいずれかに記載の吸収性物品。
【００１５】
（６）  他の吸収性物品と併用され、身体側に面する液体透過性の表面シートと、前記表面シートの厚さ方向における一方側に配設される裏面シートと、が液体を吸収する吸収体を内包させた形態で接合されてなる補助吸収性物品であって、前記裏面シートは、耐水処理剤を含有し、該裏面シートにおける少なくとも一部に所定の耐水性を有する補助吸収性物品。
【００１６】
（７）  耐水処理剤を含有し、少なくとも一部に所定の耐水性を有する吸収性物品用シート。
【００１７】
（８）  ＪＩＳ  Ｌ  １０９２「繊維製品の防水性試験方法」により測定した耐水度が、１ｍｍ以上１５０ｍｍ未満である（７）に記載の吸収性物品用シート。
【００１８】
（９）  前記耐水処理剤がサイズ剤である（７）または（８）に記載の吸収性物品用シート。
【００１９】
（１０）  前記耐水処理剤の含有量は、シート中に含まれる繊維に対して、０．１質量％以上１０質量％以下である（７）から（９）のいずれかに記載の吸収性物品用シート。
【発明の効果】
【００２０】
本発明によれば、裏面シートに耐水処理剤を含有し、該裏面シートにおける少なくとも一部に所定の耐水性を有する吸収性物品、補助吸収性物品、および吸収性物品用シートを提供することができる。
【発明を実施するための最良の形態】
【００２１】
以下、本発明の各実施形態を図面に基づいて説明する。以下の実施形態の説明においては、同一の構成要件については同一符号を付し、その説明は省略もしくは簡略化する。また、説明の便宜上、吸収性物品が陰唇間パッドの場合について説明するが、本発明を限定するものではない。
【００２２】
＜陰唇間パッド１の全体構成＞
図１に本発明に係る吸収性物品の陰唇間パッド１の斜視図を示す。また、図２に図１に示した陰唇間パッド１を長手方向中心軸を折り軸として、裏面側同士が向かい合うように二つ折りにした様子を示す。図３に図１におけるＸ１−Ｘ２線に沿った断面図を示す。図１から図３に示すように、陰唇間パッド１は、周縁部５と、表面シート２と、表面シート２の厚さ方向における一方側に配設される裏面シート４とを有しており、表面シート２と裏面シート４との間には吸収体３が配置されている。また、本発明に係る陰唇間パッド１は、実質的に縦長であり、長手方向と短手方向を有する形状である。陰唇間パッド１は、装着者の前後方向に縦長であり、この方向を長手方向とし、長手方向に垂直な方向を短手方向とする。この陰唇間パッド１は、長手方向中心軸を折り目線として二つ折りされ、中心軸付近の少なくとも一部が陰唇内の前庭床に接するように陰唇間の小陰唇に少なくとも一部挟まれて着用される。
【００２３】
陰唇間パッド１の形状としては、楕円型、瓢箪型、雫型などの女性の陰唇に適合する形状が挙げられる。陰唇間パッド１の外形の延べ寸法は、中心軸方向の幅として４０〜１８０ｍｍが好ましく、より好ましくは８０〜１２０ｍｍである。また、中心軸に対して垂直方向の幅としては２０〜１００ｍｍが好ましく、より好ましくは５０〜８０ｍｍである。なお、この中心軸に対して垂直方向の幅は、二つ折りがなされる前の平面状の陰唇間パッド１における寸法である。二つ折りにされた状態で陰唇間に着用される際には、着用形態における鉛直方向への延べ寸法は、上記の幅の略１／２の寸法となる。なお、陰唇間パッド１は、上述した通り、平面状のパッドを二つ折りにして陰唇に挟むタイプであるが、その他にも棒状あるいは筒状の形態を採り得る。平面状のパッドを二つ折りにして着用するタイプ以外のパッドにおいては、中心軸に対して垂直方向の幅は、上記の幅の略１／２となる。
【００２４】
女性の陰裂（前方陰唇交連部〜後方陰唇交連部）の平均長さは約８０ｍｍ、陰核から膣口までの平均長さは約４０ｍｍ、膣口から肛門までの平均長さは約４５ｍｍ（出願人調べ）である。陰唇間パッド１の前方側縁は、経血モレを防止するために、少なくとも陰核まで覆うことが好ましく、後方側縁は、臀部の肉の動きでパッドが脱落することを防止するために、肛門まで達しないことが好ましい。これらの条件を満たす範囲として、陰唇間パッド１の外形の延べ寸法は、上記の範囲であることが望ましい。
【００２５】
図３は、図１のＸ１−Ｘ２の断面図である。図３に示すように、本発明の陰唇間パッド１は、吸収体３と、その両側に配置される液透過性の表面シート２と裏面シート４とを備えている。なお、吸収体３の一部に、周辺領域よりも曲げ剛性の低い低曲げ剛性部を備えるようにしてもよい。陰唇間パッド１の曲げ剛性には、吸収体３の寄与する割合が高いため、吸収体３の一部に低曲げ剛性部を備えることにより、曲げ剛性を調節することができる。
【００２６】
本発明の陰唇間パッド１は水分散性素材、生分解性素材または水溶性素材で構成されていることが好ましい。このような陰唇間パッド１は、使用後にトイレに流して廃棄することができるため、陰唇間パッド１の廃棄が簡便かつ清潔に行うことができ、トイレ内のごみの低減をはかることもできる。
【００２７】
「水分散性」とは、水解性と同じ意味を指し、使用ときの限定された量の水分や経血では製品に影響はないが、多量の水や水流中では、少なくとも一般のトイレの排水管を詰まらせることがない程度に、繊維同士が分散する性質のことをいう。
【００２８】
「生分解性」とは、放線菌をはじめとする細菌、その他の微生物の存在下、自然界のプロセスによって、製品を構成する物質が二酸化炭素またはメタンなどのガス、水およびバイオマスに分解されることをいう。また、その生分解能（生分解速度、生分解度など）が、落ち葉などの自然に生じる材料、または、一般的に生分解性として認識される合成ポリマーに準じることをいう。
【００２９】
また、「水溶性」とは、使用ときの限定された水分や経血では製品に影響はないが、多量の水や水流中では、溶解する性質のことをいう。
【００３０】
＜表面シート２＞
表面シート２は、液透過性かつ液親水性で肌に刺激を与えない素材が好ましく用いられる。例えば、ポイントボンド、スパンレース、エアースルーなどによって製造される不織布を単独、または、これらを複合した材料が用いられる。また、陰唇間パッド１の表面シート２は、使用中に、表面シート２と陰唇内壁がずれて異物感が発生するのを防ぐために、肌への貼り付き性の高いセルロース系の親水性繊維を主体とした材料が用いられる。具体的には、表面シート２は、ポリエチレンテレフタレート（ＰＥＴ）繊維５％以上３０％以下、レーヨン繊維またはアセテート繊維を７０％以上９５％以下の比率で混合した繊維を、水流交絡により繊維同士を絡合させて乾燥した後、厚みが０．２ｍｍ以上１．０ｍｍ以下の範囲で調整した繊維長が１〜２０ｍｍの範囲から構成される湿式スパンレース不織布が用いることができる。例えば、繊度が１．１ｄｔｅｘで繊維長が７ｍｍのレーヨンと、繊度が０．４ｄｔｅｘで繊維長が１０ｍｍのＰＥＴ、繊度が２．２ｄｔｅｘで繊維長が１０ｍｍの捲縮ＰＥＴから構成され、目付を３５ｇ／ｍ２に調整した湿式スパンレース不織布が挙げられる。
【００３１】
＜吸収体３＞
吸収体３は、液体（体液）を吸収保持できるものであれば特に限定されないが、嵩高で、型崩れしにくく、化学的刺激が少ないものであることが好ましい。また、吸収体３に使用する材料としては、例えば、パルプ、化学パルプ、レーヨン、アセテートレーヨン、天然コットン、高分子吸収体、繊維性高分子吸収体、合成繊維を単独またはこれらを混合したものを用いることができる。吸収体３は、エアレイドパルプ、高分子吸収体を混合したエアレイドパルプ、親水処理を施したメルトブローン不織布、親水性繊維を主体としたスパンレース不織布、ティッシュ、親水処理を施した連続発泡体、セルロース発泡体などとすることにより製造することができる。このとき、必要に応じて、重ねたり、折り重ねることにより、嵩高を適宜調整する。また、吸収体３は、シート形状に限定されず、例えば、粉砕状に加工して使用してもよく、形態などは特に限定されない。シート形状または粉砕加工などにより得られた積層体には、エンボス加工を施して使用してもよい。なお、エンボス面積は、０．１以上６０％以下の範囲であることが好ましく、１以上３０％以下の範囲であることが好ましい。
【００３２】
以下、積層体を具体的に示す。繊維長が７ｍｍで繊度が３．３ｄｔｅｘのレーヨンが４０〜１００質量％と、繊維長が１０ｍｍで繊度が２．２ｄｔｅｘの捲縮ＰＥＴが０〜３０質量％と、叩解パルプが０〜３０質量％と、静電気防止剤から構成された湿式機スパンレース不織布をガーネットミルなどの解繊機で繊維をほぐして目付を５０〜１０００ｇ／ｍ２、好ましくは１００〜８００ｇ／ｍ２の範囲で積層した後、ドット状のパターンでエンボス加工を施して厚みを２〜１０ｍｍに調節した積層体が例として挙げられる。
【００３３】
積層体である吸収体３は、楕円型、瓢箪型、雫型、ハート型などの周縁形状に切断されるが、陰唇の適合する形状であれば特に限定されない。また、吸収体３に柔軟性を持たせるために、スリット加工が施されていてもよい。上記の陰唇間パッド１を構成する材料は、使用後にトイレに流して処理することが可能な水崩壊性素材や生分解性素材から構成されていてもよい。
【００３４】
＜裏面シート４＞
裏面シート４は、耐水処理剤を含有し、少なくとも一部に所定の耐水性を有するシートである。例えば、吸収体３が吸収できる液体の最大量の７０％以下の吸収量である場合、裏面シート４は液体の透過の障壁となる耐水性を有し、吸収量が７０％を超えると、液体を裏面シート４側から流出させることができる液透過性をもつ素材を用いることができる。すなわち、裏面シート４は、前記吸収体３が吸収できる液体の最大量の７０％を吸収したときにおける荷重がかかるまで耐水性を有する。例えば、裏面シート４に耐水性を持たせるために、サイズ剤などに耐水処理剤を含有した湿式スパンレース不織布などが挙げられる。
【００３５】
裏面シート４を上記構成とすることにより、陰唇間パッド１の吸収体３に、経血などの体液が所定量吸収されるまで、裏面シート４が耐水性を有する。したがって、陰唇間パッド１の吸収体３に効率よく経血などの体液を吸収することができる。また、吸収体３が経血などの体液を所定量吸収した後は、裏面シート４が液透過性となるため、陰唇間パッド１の左右から経血が流出することを防止することができる。
【００３６】
また、裏面シート４において、耐水性を有し、所定の荷重がかかった後に液透過性となる部分は、裏面シート４の中心部であることが好ましい。裏面シート４の中心部を上記構成とすることにより、生理用ナプキンを併用する際、陰唇間パッド１で吸収できなかった経血などを、吸収効率のよいナプキンの中心部で吸収することができるため、効率よく吸収することができる。
【００３７】
裏面シート４としては、例えば、親水性繊維が３０〜６０質量％、細径疎水性繊維が２０〜５０質量％および太径疎水性繊維が１０〜３０質量％の比率で混合した繊維配合に、耐水処理剤であるサイズ剤を、裏面シート４中に含まれる繊維に対して、０．１質量％以上１０質量％以下の含有量で含有し、これを２０ｇ／ｍ２以上５０ｇ／ｍ２以下の範囲で調整した後、水流交絡により繊維同士を交絡させて、厚みを０．３ｍｍ以上１．０ｍｍ以下の範囲で調整して製造した繊維長が１〜２０ｍｍの範囲から構成される湿式スパンレース不織布が好ましく用いられる。湿式スパンレース不織布を用いる場合、例えば、繊度が１．１ｄｔｅｘで繊維長が７ｍｍのレーヨンと、繊度が０．４ｄｔｅｘで繊維長が１０ｍｍのＰＥＴ、繊度が２．２ｄｔｅｘで繊維長が１０ｍｍの捲縮ＰＥＴと、耐水処理剤としてサイズ剤から構成され、目付を３５ｇ／ｍ２に調整した湿式スパンレース不織布を使用する。
【００３８】
また、裏面シート４を構成する材料としては、所定の耐水性と液透過性を有する配合であれば、他の繊維種や耐水処理剤を用いることもできる。
【００３９】
裏面シート４の評価は、後述する試験方法「耐水度試験」と「吸収性試験」により評価を行うことができる。耐水性と液透過性を両立するための範囲は、ＪＩＳ  Ｌ  １０９２  「繊維製品の防水性試験法」による耐水度が１ｍｍ以上１５０ｍｍ未満の範囲であり、より好ましくは１０ｍｍ以上５０ｍｍ以下の範囲である。耐水度が１ｍｍ未満であると、裏面シート４の液透過性が高く、体液は陰唇間パッド１の吸収体３に吸収される前に、裏面シート４を通過してしまい、陰唇間パッド１の吸収体３に充分吸収されない。また、耐水度が１５０ｍｍ以上の場合、裏面シート４が液不透過性となるため、陰唇間パッド１の吸収体３に体液が充分に吸収された後は、陰唇間パッド１の左右から体液がもれるため、ナプキンを併用していた場合、ナプキンの中心部での体液の吸収を阻害してしまう。
【００４０】
なお、本発明において、「耐水度」とは、ＪＩＳ  Ｌ  １０９２  「繊維製品の防水性試験法」により測定した数値のことであり、「所定の耐水性」とは、陰唇間パッド１の吸収体３に経血などの体液が吸収されることによりかかる裏面シート４の荷重のことであり、例えば、耐水度を圧力換算することにより求めることができる。また、「耐水性」とは、裏面シート４が液不透過性の性質を有することである。
【００４１】
＜耐水処理剤＞
耐水処理剤は、裏面シート４における吸収する性質を制限するために添加される。裏面シート４を構成する紙や不織布は、多孔質であるため液体を吸収する性質を有する。この多孔を耐水処理剤で塞ぐことにより、液体の浸入を防止することができる。これにより、裏面シート４に所定の耐水性を持たせることができる。
【００４２】
耐水処理剤としては、裏面シート４に所定の耐水性を持たせることができれば、特に限定されず用いることができる。具体的には、サイズ剤（耐水性膠質物）を用いることができる。サイズ剤を用いることにより、シートの表面または内部の空隙をサイズ剤で塞ぐことができるため、裏面シート４に所定の圧力がかかるまで耐水性を持たせることができる。サイズ剤としては、ロジン誘導体、アルキルケテンダイマー（ＡＫＤ）、アルケニル無水コハク酸（ＡＳＡ）を挙げることができる。
【００４３】
耐水処理剤の含有量は、裏面シート４中に含まれる繊維に対して、０．１質量％以上１０質量％以下であることが好ましく、３質量％以上１０質量％以下であることがより好ましい。この範囲で、耐水処理剤を添加することにより、裏面シート４に適度な耐水性を持たせることができる。したがって、吸収体３が、所定の吸収量に達することにより、裏面シート４における少なくとも一部が液透過性となり、裏面シート４から経血などの体液を流出させることができる。
【００４４】
＜ミニシート片＞
図２に示したように、長手方向中心軸を折り軸として、裏面側同士が向かい合うように二つ折りされるタイプの陰唇間パッド１の場合には、裏面側同士を跨ぐようにしてミニシート片（図示せず）が設けられていてもよい。この場合には、ミニシート片と裏面側との間に、指挿入用口が形成され、安定的にかつ適切な位置に陰唇間パッド１を着用することができる。ミニシート片は、表面シート２や裏面シート４と同様の構成により形成することができる。さらには、弾性力のある繊維の積層体、フィルム、空気のセルをもった発泡化した材料などを利用することができる。
【００４５】
ミニシート片に使用する材料としては、繊維長が１〜２０ｍｍの範囲から構成される湿式スパンレース不織布を使用することができる。例えば、繊度が１．１ｄｔｅｘで繊維長が７ｍｍのレーヨンと、叩解パルプと、視認性を向上させるための着色剤から構成され、目付を３０ｇ／ｍ２に調整した湿式スパンレース不織布が挙げられる。
【００４６】
また、弾性力を有する繊維としては、ＰＥ、ＰＰ、ＰＥＴなどの熱可塑性材料を単独で用いた繊維や、これらの熱可塑性材料を芯鞘タイプ、芯鞘の偏芯タイプ、または、サイドバイサイドタイプとして用いた繊維が挙げられる。これらの繊維のうち、機械捲縮や熱などにより二次捲縮が掛けられた繊維が弾性力を有するため好ましい。弾性力および着用感を考慮すると、繊度は０．５ｄｔｅｘ以上８．８ｄｔｅｘ以下の範囲内であることが好ましく、繊維長は３ｍｍ以上６４ｍｍ以下の範囲内であることが好ましい。厚みは、０．２ｍｍ以上３．０ｍｍ以下の範囲内であることが好ましく、０．５ｍｍ以上１．５ｍｍ以下の範囲内であることがさらに好ましい。フィルムとしては、弾性力を有するＰＥ、ＰＰ、ＰＥＴなどの樹脂の他、高弾性のウレタン、ゴムなどの樹脂を、Ｔダイやインフレで単一、複合、または、多層で押出成形した材料が利用される。発泡化材料としては、弾性力を有するＰＥ、ＰＰなどの樹脂や、高弾性のウレタン、ゴムなどの樹脂を発泡化した材料の他、吸収性を有するセルローススポンジが利用される。なお、発泡体は連続型または独立型のどちらであってもよい。
【００４７】
弾性力を有する繊維を用いた不織布の例を挙げると、繊維をカードで積層し、熱可塑性繊維の溶融によりボンディングするスルーエア製法で形成された不織布が反発弾性力に優れ、好適に利用される。一般的に利用されるポイントボンド、スパンボンド、スパンレース法も利用できる。連続フィラメントを紡糸し熱エンボスでボンディングするスパンボンドや、スパンボンドにメルトブローンを吹き付けボンディングしたＳＭＳ（スパンボンド／メルトブローン／スパンボンド）不織布であってもよい。繊維積層後に表面にバインダーを塗付することによりボンディングするケミカルボンドやエアレイド法による不織布も利用できる。これらの材料を単一で利用したり、多層化して接着剤やエンボスで固定したものであってもよい。また、エンボスパターンによって反発力や厚みを調整した材料も好適に利用される。
【００４８】
［陰唇間パッド１の製造方法］
本実施形態の陰唇間パッド１は、表面シート２、吸収体３、裏面シート４を接合することにより得られる。接合方法としては、例えば、エンボス加工ときに熱を加えて吸収体３と表面シート２、裏面シート４を熱融着させる方法、あるいは接着剤を介して接合する方法などを挙げることができ、これらの方法は単独もしくは組み合わされて使用される。
【００４９】
エンボス加工により接合させる場合には、エンボスパターンは特に限定されるものではなく、ドット状、格子状、波状などが適宜選択できる。これらのなかでは、陰唇内壁に過度の異物感を与えないことから、ドット状のエンボスパターンにより、面積率１０％で接合することが好ましい。
【００５０】
熱融着により接合させる場合には、構成素材の軟化点以上の温度で熱を加えればよく、熱エンボス加工、超音波加工などを挙げることができる。
【００５１】
接着剤を介して接合する場合には、ＳＥＢＳ、ＳＢＳ、ＳＩＳなどのゴム系接着剤、直鎖状低密度ポリエチレンなどのオレフィン系を主体とした感圧型接着剤や感熱型接着剤、ポリビニルアルコール、カルボキシルメチルセルロース、ゼラチンなどの水溶性高分子からなる、あるいは、ポリビニルアセテートやポリアクリル酸ナトリウムなどの水膨潤性高分子からなる感水性接着剤を例として挙げることができる。これらの中では、体圧が陰唇間パッド１に加わったときに、万が一陰唇間パッド１の外面に接着剤が滲み出してしまった場合であっても、そのとき点ではタック性を有さないようにできることから、感熱型接着剤が好ましい。接着剤の具体的な例としては、ＳＥＢＳを５〜２５％、脂環族飽和炭化水素を４０〜６０％、芳香族変性テルペンを１〜１０％、添加剤を１５〜３５％で溶融混合したものが挙げられる。
【００５２】
接着剤の塗工パターンとしては、スパイラル塗工、コントロールシーム塗工、コーター塗工、カーテンコーター塗工、サミットガン塗工など挙げられる。また、接着剤の目付量は、好ましくは１〜３０ｇ／ｍ２の範囲、さらに好ましくは３〜１０ｇ／ｍ２の範囲である。接着剤が線状に塗工されているパターンであれば、その線径は３０〜３００μｍの範囲が好ましい。接着剤の目付量が１ｇ／ｍ２より小さい場合、もしくは線径が３０μｍより小さい場合には、表面シート２が繊維集合体で構成されていると、繊維間に接着剤が埋もれてしまうため十分な接合力が得られない。一方で、接着剤の目付量が３０ｇ／ｍ２より大きい場合、もしくは線径が３００μｍより大きい場合には、接着剤を施した部分の周縁部が剛くなってしまう。接着剤の塗工位置は、パッドの周縁の少なくとも一部または全部に塗工されていれば特に限定されるものではないが、液の吸収性を考慮すれば、吸収体３の裏面側であり、周縁の少なくとも一部または全部に塗工されていることが好ましい。
【００５３】
＜陰唇間パッドの装着状態＞
次に、陰唇間パッド１を着用者の陰唇に装着した状態について説明する。図４は、本発明の陰唇間パッド１の装着状態を示す側断面図、図５は、本発明の陰唇間パッド１の装着状態を示す正面断面図である。陰唇間パッド１は、着用者の陰唇８に挟まれており、陰唇間パッド１は膣口９に接している。このため、膣口９から排出された経血を集中的に吸収することができる。
【００５４】
また、本発明の陰唇間パッド１は、通常の生理用ナプキン７と併用して用いることができる。装着方法としては、陰唇間パッド１を陰唇間内に装着し、生理用ナプキン７をショーツ６に装着する。このように、生理用ナプキン７と併用することによって、経血量が多い日であっても、本発明の陰唇間パッド１をより効果的に用いることができる。本発明の陰唇間パッド１を生理用ナプキン７と併用することにより、陰唇間パッド１の吸収体３に吸収しきれなかった体液などは、裏面シート４を通過し生理用ナプキン７の中心部で吸収される。そのため、陰唇間パッド１の吸収体３で吸収量が限界に達するまで吸収した後、陰唇間パッド１で吸収できなかった体液などは、裏面シート４を通過し、吸収効率の最も高い生理用ナプキンの中心部で吸収される。したがって、全体の吸収効率を向上させることができ、さらに、生理用ナプキンの左右からショーツへもれることを防止することができる。
【００５５】
＜耐水度試験の測定＞
裏面シート４の耐水性の評価方法については、ＪＩＳ  Ｌ  １０９２「繊維製品の防水性試験法」により測定した。耐水度測定装置は、図６に示す耐水度測定装置１０を用いた。シリンダー（水準装置）１１は、６０±３ｃｍ／ｍｉｎおよび１０±０．５ｃｍ／ｍｉｎの速さで上昇できる装置である。クランプ１２は、試験片の水接触面積が１００ｃｍ２であり、水圧計１３は、０．１ｍｍ目盛りでシリンダー１１を上昇させたときの最高水位が約１０００ｍｍである。
【００５６】
試験片は約１５×１５ｃｍに準備し、図６の耐水度測定装置１０のクランプ１２に試験片の表側が水に接触するように取り付け、シリンダー１１を１０±０．５ｃｍ／ｍｉｎの速度で上昇させたときに、試験片の表面に水滴が通過したときの水圧計１３の水位を耐水度（ｍｍ）とした。
【００５７】
なお、上述したように本実施形態では、吸収性物品が陰唇間パッド１の場合について開示したが、本発明の吸収性物品は陰唇間パッド１に限定されることはなく、例えば、使い捨ておむつ、生理用ナプキンなどの吸収性物品と併用する補助パッドなどとしても使用することができる。
【００５８】
以下、本発明の吸収性物品について実施例を用いてより詳細に説明するが、本発明はこれらに限定されるものではない。
【実施例】
【００５９】
（実施例１）
裏面シート４は、繊度１．１ｄｔｅｘ、繊維長７ｍｍのレーヨン繊維５０％、繊度０．４ｄｔｅｘ、繊維長１０ｍｍのポリエチレンテレフタレート（ＰＥＴ）繊維３０％、繊度２．２ｄｔｅｘ、繊維長１０ｍｍのエチルプロピルチオカルバメート（ＥＰＴＣ）繊維２０％の比率で混合し、サイズ剤として、ロジン誘導体系のカチオン性スチレン系樹脂水溶液（サイズパインＷ−３６０：荒川化学工業（株）製）を原料に対して５％添加し製造した。
【００６０】
表面シート２は、３５ｇ／ｍ２レーヨンスパンレース不織布を用い、吸収体３は２００ｇ／ｍ２レーヨン繊維積層体と２５ｇ／ｍ２スパンレース不織布と１００ｇ／ｍ２パルプからなる吸収体３を用い、陰唇間パッド１を製造した。
【００６１】
（実施例２）
サイズ剤を原料に対して１０％添加した以外は、実施例１と同様の方法により裏面シート４を製造し、陰唇間パッド１を製造した。
【００６２】
（比較例１）
サイズ剤を添加しなかった以外は、実施例１と同様の方法により裏面シート４を製造し、陰唇間パッド１を製造した。
【００６３】
（比較例２）
裏面シート４にポリエチレン製のフィルムを用いた以外は、実施例１と同様の方法により陰唇間パッド１を製造した。
【００６４】
実施例１、２、比較例１、２の陰唇間パッド１について、耐水度試験により耐水度、陰唇間パッド１の液吸収性および陰唇間パッド１の下に静置したときの生理用ナプキンの吸収量から陰唇間パッド１からの液移行性を測定した。耐水度試験は、上述したＪＩＳ  Ｌ  １０９２「繊維製品の防水性試験法」に準じて測定した。
【００６５】
また、陰唇間パッド１の吸収性、液移行性については、図７に示す装置を用いて測定した。サンプルの大きさは、１１０×６２ｃｍの大きさで準備し、使用状態を想定し、擬似陰唇１６に２つ折りにしたサンプルを取り付け、その直下に生理用ナプキン７を静置した。生理用ナプキンは、アクティブスリム（ユニ・チャーム社製）を用いた。液投入口１５から７ｍＬ／ｍｉｎの速度で、人口経血を１５ｍＬ投入したときの、サンプルの吸収量と下に静置したときのナプキンの吸収量を測定した。
【００６６】
（結果）
図８に裏面シート４の耐水度試験結果、吸収性・液移行試験結果などを示す。なお、陰唇間パッド１吸収効率は、陰唇間パッド１の吸収量を陰唇間パッド１の最大吸収量で除した値であり、１００％に近いほど経血が陰唇間パッド１に効率よく吸収され、０％に近いほど経血が陰唇間パッド１に吸収されないことを示す。なお、陰唇間パッド１の最大吸収量は、１２ｇである。ナプキンモレ面積は、ナプキンへの経血もれ拡散面積、すなわち経血の拡散距離の長手方向の最長の長さ×短手方向の最長の長さから算出した面積を示す。ナプキンモレ面積が大きいほど経血がナプキンに広がっていることを示す。また、総合判定は、陰唇間パッド１の耐水度、吸収性、液移行性試験の結果に基づいて、下記に示した基準により行った。
○・・・良好  「陰唇間パッド１の吸収効率が８０％以上」、「ナプキンへの拡散面積が２１ｃｍ２以内」の条件を全て満たす。
×・・・不良  「陰唇間パッド１の吸収効率が８０％以上」、「ナプキンへの拡散面積が２１ｃｍ２以内」の条件のうち、どちらかを満たさない。
【００６７】
サイズ剤を５％、１０％添加した実施例１、２については、裏面シート４の耐水度が４１ｍｍ、５２ｍｍであり、低荷重下において耐水性を有する。したがって、人口経血は、生理用ナプキン７に流出することなく最大量まで吸収され、保持される。最大吸収ときの陰唇間パッド１にさらに経血や体圧が加わると裏面シート４は耐水性から液透過性になるため、過剰の人口経血は裏面シート４を通過し、陰唇間パッド１の直下にある生理用ナプキン中心部に流れ、生理用ナプキン中心部で吸収される。したがって、裏面シート４に所定の荷重がかかるまで耐水性を有し、所定の荷重がかかった後は、液透過性となるようにすることで、陰唇間パッド１の吸収効率が高く、かつ、生理用ナプキンの吸収力が高い中心部分で吸収できるため、全体として吸収効率を高めることができる。
【００６８】
比較例１は、裏面シート４が不織布のサンプルである。比較例１は、液透過性または、低荷重下において耐水性が不充分であるため、人口経血は、陰唇間パッド１に吸収、保持される前に、裏面シート４を通過し、生理用ナプキンへと移行してしまう。したがって、陰唇間パッド１の吸収容量を残したまま、経血が生理用ナプキンへ移行してしまうため、陰唇間パッド１の吸収効率が悪くなる。
【００６９】
比較例２は、裏面シート４がポリエチレンフィルムであり、液透過性が全くないサンプルである。裏面シート４は液不透過性であるため、人口経血はまず、陰唇間パッド１に最大量まで吸収される。しかし、過剰な経血は陰唇間パッド１の裏面シート４を通過できないため、表面に再度流れ出る。そして、人口経血は陰唇間パッド１の表面を伝い流れ、陰唇間パッド１の周縁から生理用ナプキンへと移行する。すなわち、過剰の人口経血は、陰唇間パッド１の裏面シート４に遮られて、生理用ナプキンの中心部に人口経血が移行しないため、生理用ナプキンの側部で吸収される。したがって、陰唇間パッド１の吸収効率は良好であるが、生理用ナプキンは、吸収効率の高い中心部で吸収できないため、全体の吸収効率が悪くなる。
【００７０】
比較例３は、裏面シート４が紙（包装紙用）であり、パルプ１００％のサンプルである。裏面シート４は耐水度が高く液不透過性となるため、人口経血はまず、陰唇間パッド１に最大量まで吸収される。しかし、過剰な経血は陰唇間パッド１の裏面シート４を通過できないため、表面に再度流れ出る。そして、人口経血は陰唇間パッド１の表面を伝い流れ、陰唇間パッド１の周縁から生理用ナプキンへと移行する。すなわち、過剰の人口経血は、陰唇間パッド１の裏面シート４に遮られて、生理用ナプキンの中心部に人口経血が移行しないため、生理用ナプキンの側部で吸収される。したがって、陰唇間パッド１の吸収効率は良好であるが、生理用ナプキンは、吸収効率の高い中心部で吸収できないため、全体の吸収効率が悪くなる。
【図面の簡単な説明】
【００７１】
【図１】本発明の吸収性物品にかかる陰唇間パッドの斜視図である。
【図２】陰唇間パッドを長手方向中心軸を折り軸として、裏面側同士が向かい合うように二つ折りにした様子を示した図である。
【図３】図１におけるＸ１−Ｘ２線に沿った断面図である。
【図４】本発明の陰唇間パッドの装着状態を示す側断面図である。
【図５】本発明の陰唇間パッドの装着状態を示す正面断面図である。
【図６】耐水度試験に用いられる耐水度測定装置を示す図である。
【図７】吸収性、液移行性試験に用いられる装置図を示す図である。
【図８】耐水度試験、吸収性および液移行性試験などの結果を示す図である。
【符号の説明】
【００７２】
１  陰唇間パッド
２  表面シート
３  吸収体
４  裏面シート
５  周縁部
６  ショーツ
７  生理用ナプキン
８  陰唇
９  膣口
１０  耐水度測定装置
１１  シリンダー
１２  クランプ
１３  水圧計
１５  液投入口
１６  擬似陰唇
【図１】
2008073355.tif 000003
【図２】
2008073355.tif 000004
【図３】
2008073355.tif 000005
【図４】
2008073355.tif 000006
【図５】
2008073355.tif 000007
【図６】
2008073355.tif 000008
【図７】
2008073355.tif 000009
【図８】
2008073355.tif 000010